(57)【要約】【課題】電子部品の誤挿入を確実に抑えつつ、コネクタのレイアウトの自由度を高める。【解決手段】サーバは、所定の方向から基板１２が挿入されるコネクタ４７が設けられたシャシー４１と、シャシー４１側に設けられ、基板１２のコネクタ４７への挿入方向に交差する基板１２の厚み方向Ｔに沿って基板１２から離間する位置に設けられたストッパ６２と、基板１２において、厚み方向Ｔの一方の面側に、厚み方向Ｔの他方の面側とは基板１２を挟んで非対称に設けられ、基板１２がコネクタ４７に対して位置または方向が異なった状態で挿入されるときのみストッパ６２に干渉する干渉部材ｋと、を備え、干渉部材ｋは、基板１２において、挿入方向および厚み方向Ｔに直交する基板１２の幅方向の端部の少なくとも一方に設けられ、ストッパ６２は、シャシー４１において、干渉部材ｋが設けられた基板１２の端部に対向する内側面４１ｓに配置されている。【選択図】図７
2017084906.tif 000002
【特許請求の範囲】
【請求項１】
所定の方向から電子部品が挿入されるコネクタが設けられた筐体と、
前記筐体側に設けられ、前記電子部品の前記コネクタへの挿入方向に交差する前記電子部品の厚み方向に沿って前記電子部品から離間する位置に設けられたストッパと、
前記電子部品において、前記厚み方向の一方の面側に、前記厚み方向の他方の面側とは前記電子部品を挟んで非対称に設けられ、前記電子部品が前記コネクタに対して位置または方向が異なった状態で挿入されるときのみ前記ストッパに干渉する干渉部材と、
を備え、
前記干渉部材は、前記電子部品において、前記挿入方向および前記厚み方向に直交する前記電子部品の幅方向の端部の少なくとも一方に設けられ、
前記ストッパは、前記筐体において、前記干渉部材が設けられた前記電子部品の前記端部に対向する領域に配置されている、情報処理装置。
【請求項２】
前記筐体に、前記電子部品の前記コネクタへの挿入方向を案内するガイド部材が設けられ、
前記ストッパは、前記ガイド部材に対し、前記電子部品の厚み方向一方の面にオフセットした位置に設けられている、
請求項１に記載の情報処理装置。
【請求項３】
前記ガイド部材は、前記電子部品の前記厚み方向に沿って間隔を空けて複数列に設けられ、
前記ストッパは、前記厚み方向で互いに隣接する前記ガイド部材同士の間に設けられている、
請求項２に記載の情報処理装置。
【請求項４】
前記ストッパは、前記ガイド部材に対し、前記電子部品の挿入方向手前側に設けられている、
請求項２または３に記載の情報処理装置。
【請求項５】
前記電子部品に、前記厚み方向一方の面を覆うカバープレートが設けられ、
前記カバープレートが、前記電子部品が前記コネクタに対して位置または方向が異なった状態で挿入されるときに、前記干渉部材として前記ストッパに干渉する、
請求項１から４の何れか一項に記載の情報処理装置。
【請求項６】
前記電子部品の前記厚み方向他方の面を覆う反対面カバープレートが設けられ、
前記電子部品は、前記カバープレートと前記反対面カバープレートとの間で、前記反対面カバープレート側にオフセットして設けられている、
請求項５に記載の情報処理装置。
【請求項７】
前記カバープレートと、前記反対面カバープレートとが、前記電子部品に対して前記挿入方向一方の側で連結されている、
請求項６に記載の情報処理装置。
【請求項８】
基板と、
前記基板の一面側を覆う第一プレート部と前記基板の他面側を覆う第二プレート部とを備えるダクト部材と、を備え、
前記基板は、前記第一プレート部と前記第二プレート部との中心位置に対し、前記第一プレート部及び前記第二プレート部の一方の側にオフセットした位置に設けられている、
ことを特徴とする電子部品ユニット。
【請求項９】
所定の方向から電子部品が挿入されるコネクタが設けられた筐体であって、
前記電子部品の前記コネクタへの挿入方向に交差する前記電子部品の厚み方向に沿って前記電子部品から離間する位置に設けられ、前記電子部品が前記コネクタに対して位置または方向が異なった状態で挿入されるときのみ干渉して前記コネクタへの挿入を阻止するストッパ、を備え、
前記ストッパは、前記電子部品の前記挿入方向および前記厚み方向に直交する前記電子部品の幅方向の端部の少なくとも一方に対向する領域に配置されている、
を備えることを特徴とする筐体。
【発明の詳細な説明】
【技術分野】
【０００１】
本発明は、情報処理装置、電子部品ユニット、筐体に関する。
【背景技術】
【０００２】
電子部品である複数のモジュールを筐体内に搭載したサーバ等の情報処理装置においては、各電子部品は、筐体側に設けられたコネクタに接続される。各電子部品を構成する基板は、その縁部に、コネクタに接続される接続部が形成されている。
このような電子部品を筐体に搭載する際には、コネクタに対し、電子部品側の接続部が正しい位置、正しい向きで接続する必要がある。
【０００３】
特許文献１には、カード挿入部の奥側に誤挿入防止部材が形成されるとともに、カード状体の挿入方向先端片側に誤挿入防止部材と互いに干渉しないように切欠きが形成された構成が開示されている。このような構成において、カード状体は、正規姿勢でカード挿入部に挿入された場合は、切欠きが誤挿入防止部材との干渉を回避することで、正規挿入位置まで挿入できる。また、カード状体が非正規姿勢でカード挿入部に挿入された場合は、カード状体の端縁が誤挿入防止部材に当て止めされて正規挿入位置に至る移動が規制される。
【先行技術文献】
【特許文献】
【０００４】
【特許文献１】特開２０１４−４１７０１号公報
【発明の概要】
【発明が解決しようとする課題】
【０００５】
サーバ等の情報処理装置において、電子部品を筐体内に搭載する場合、筐体の底面にコネクタを設ける必要がある。しかし、特許文献１に開示された構成では、挿入方向奥側、つまり筐体の底面に、誤挿入防止部材を突出させて設けるスペースを確保しなければならない。その結果、筐体の底面にコネクタを設けるスペースが限られ、コネクタのレイアウトの妨げとなる。
【０００６】
本発明の目的は、上述した課題である筐体の底面にコネクタを設けるスペースが限られ、コネクタのレイアウトの妨げとなるという課題を解決する情報処理装置、電子部品ユニット、筐体を提供することにある。
【課題を解決するための手段】
【０００７】
この発明の情報処理装置は、所定の方向から電子部品が挿入されるコネクタが設けられた筐体と、前記筐体側に設けられ、前記電子部品の前記コネクタへの挿入方向に交差する前記電子部品の厚み方向に沿って前記電子部品から離間する位置に設けられたストッパと、前記電子部品において、前記厚み方向の一方の面側に、前記厚み方向の他方の面側とは前記電子部品を挟んで非対称に設けられ、前記電子部品が前記コネクタに対して位置または方向が異なった状態で挿入されるときのみ前記ストッパに干渉する干渉部材と、を備え、前記干渉部材は、前記電子部品において、前記挿入方向および前記厚み方向に直交する前記電子部品の幅方向の端部の少なくとも一方に設けられ、前記ストッパは、前記筐体において、前記干渉部材が設けられた前記電子部品の前記端部に対向する領域に配置されている。
【０００８】
この発明の電子部品ユニットは、基板と、前記基板の一面側を覆う第一プレート部と前記基板の他面側を覆う第二プレート部とを備えるダクト部材と、を備え、前記基板は、前記第一プレート部と前記第二プレート部との中心位置に対し、前記第一プレート部及び前記第二プレート部の一方の側にオフセットした位置に設けられている。
【０００９】
この発明の筐体は、所定の方向から電子部品が挿入されるコネクタが設けられた筐体であって、前記電子部品の前記コネクタへの挿入方向に交差する前記電子部品の厚み方向に沿って前記電子部品から離間する位置に設けられ、前記電子部品が前記コネクタに対して位置または方向が異なった状態で挿入されるときのみ干渉して前記コネクタへの挿入を阻止するストッパ、を備え、前記ストッパは、前記電子部品の前記挿入方向および前記厚み方向に直交する前記電子部品の幅方向の端部の少なくとも一方に対向する領域に配置されている。
【発明の効果】
【００１０】
上記情報処理装置、電子部品ユニット、筐体では、電子部品の誤挿入を確実に抑えつつ、コネクタのレイアウトの自由度を高めることができる。
【図面の簡単な説明】
【００１１】
【図１】第１の実施形態による情報処理装置の最小構成を示す図である。
【図２】第２の実施形態による情報処理装置としてのサーバの一例を示す斜視図である。
【図３】本実施形態におけるサーバモジュールの斜視図である。
【図４】本実施形態におけるサーバモジュールの分解斜視図である。
【図５】上記サーバモジュールを装着するサーバモジュール収容部の構成を示す断面図である。
【図６】上記サーバモジュール収容部の内側面に設けたガイド部材を示す斜視図である。
【図７】上記ガイド部材に沿って案内されるサーバモジュールを示す断面図である。
【図８】上記サーバモジュールを、サーバモジュール収容部に対して異なった位置で挿入する場合を示す断面図である。
【図９】上記サーバモジュールを、サーバモジュール収容部に対して異なった向きで挿入する場合を示す断面図である。
【図１０】上記サーバモジュールを、サーバモジュール収容部に対して異なった位置、異なった向きで挿入する場合を示す断面図である。
【発明を実施するための形態】
【００１２】
本発明の複数の実施形態に関して図面を参照して以下に説明する。ただし、本実施形態に関して前述した一従来例と同一の部分に関しては、同一の名称を使用して詳細な説明は省略する。
【００１３】
［第１の実施形態］
図１は、本実施形態による情報処理装置の最小構成を示す図である。
この図１に示すように、情報処理装置１は、筐体２と、ストッパ３と、干渉部材４と、を少なくとも備えていればよい。
【００１４】
筐体２は、電子部品６が挿入されるコネクタ５が設けられている。電子部品６には、例えば、その外縁部に、外方に向かって突出する挿入凸部６ａが形成される。コネクタ５には、例えば、挿入凸部６ａが挿入される挿入凹部５ａが形成される。
電子部品６は、コネクタ５の挿入凹部５ａに対し、挿入凸部６ａを所定の挿入方向Ａから挿入することで、コネクタ５に接続される。
【００１５】
干渉部材４は、電子部品６において、電子部品６がコネクタ５に対して位置または方向が異なった状態で挿入されるときのみストッパ３に干渉するよう設けられる。干渉部材４は、電子部品６において、挿入方向Ａおよび厚み方向Ｔに直交する電子部品６の幅方向Ｗの端部６ｓ，６ｓの少なくとも一方に設けられる。干渉部材４は、その厚み方向Ｔの一方の面４ａ側に、厚み方向Ｔの他方の面４ｂ側とは電子部品６を挟んで非対称に設けられる。
【００１６】
ストッパ３は、筐体２側に設けられている。ストッパ３は、電子部品６のコネクタ５への挿入方向Ａに交差する電子部品６の厚み方向Ｔに沿って、電子部品６から離間する位置に設けられる。ストッパ３は、筐体２において、干渉部材４が設けられた電子部品６の端部６ｓに対向する領域２ｓに配置されている。
【００１７】
このような情報処理装置１は、干渉部材４が、電子部品６の厚み方向Ｔの一方の面４ａ側に、他方の面４ｂ側とは電子部品６を挟んで非対称に設けられている。これにより、図１中に二点鎖線Ｐ１で示すように、電子部品６を正しい向きでコネクタ５に向けて挿入するときには、干渉部材４が、ストッパ３とは電子部品６を挟んだ反対側に位置するため、ストッパ３に干渉しない。したがって、電子部品６をコネクタ５に接続することができる。
一方、図１中に実線Ｐ２で示すように、電子部品６がコネクタ５に対して方向（向き）が異なった状態で挿入されると、干渉部材４が、電子部品６に対してストッパ３と同じ側に位置する。これにより、ストッパ３が干渉部材４に干渉し、電子部品６のコネクタ５への挿入が阻止される。
このような構成において、干渉部材４およびストッパ３は、電子部品６の幅方向Ｗの端部６ｓ近傍に設けられているので、筐体２の底部２ｂにおけるコネクタ５等のレイアウトの邪魔にならない。したがって、電子部品６の誤挿入を確実に抑えつつ、コネクタ５の多極化やコネクタ５のレイアウトの自由度を高めることが可能となる。
【００１８】
［第２の実施形態］
図２は、本実施形態による情報処理装置としてのサーバの一例を示す斜視図である。
この図２に示すように、サーバ（情報処理装置）４０は、シャシー（筐体）４１と、ベースボード４２と、サーバモジュール（電子部品ユニット）４３と、ファンモジュール４４と、パワーユニット４５と、通信ユニット４６と、を主に備えている。
【００１９】
シャシー４１は、ベースボード４２、サーバモジュール４３、ファンモジュール４４、パワーユニット４５、および、通信ユニット４６を少なくとも収容する。このシャシー４１は、上方に開口する上面視で四角形の箱状に形成されている。このシャシー４１は、例えば、ラック（図示せず）に対して前後方向にスライド可能に支持されている。このシャシー４１は、ラックに収容された状態から前方に向かって引き出すことで、シャシー４１の内部にアクセス可能となる。その一方で、シャシー４１は、引き出された状態から後方に向かって押し込むことでラックに収容される。
【００２０】
この実施形態におけるサーバ４０のシャシー４１は、前後方向に長い形状とされ、その後方にパワーユニット４５が収容される。
シャシー４１は、その内部空間を前後方向で複数に仕切る仕切部材４１ａを備えている。仕切部材４１ａは、前後方向に冷却空気が通過できるように複数の貫通孔が形成されている。この実施形態におけるシャシー４１は、仕切部材４１ａによって、前方から後方に向かって、サーバモジュール収容部４１ｂ、ファンモジュール収容部４１ｃ、および、その他収容部４１ｄの順で区画されている。
【００２１】
サーバモジュール収容部４１ｂは、前後方向に隣接するようにして２つ設けられている。これらサーバモジュール収容部４１ｂは、複数のサーバモジュール４３を収容する。サーバモジュール４３は、その厚み方向がシャシー４１の幅方向と一致する姿勢で、サーバモジュール収容部４１ｂに多数収容可能となっている。言い換えれば、２つのサーバモジュール収容部４１ｂは、サーバモジュール４３が、その厚み方向に多数積層されるようにして収容可能となっている。
【００２２】
ファンモジュール収容部４１ｃは、サーバモジュール収容部４１ｂとその他収容部４１ｄとの間に配置されている。ファンモジュール収容部４１ｃは、複数のファンモジュール４４を収容する。複数のファンモジュール４４は、その回転軸が前後方向に延びるようにしてシャシー４１の幅方向に多数並んでファンモジュール収容部４１ｃに収容される。この実施形態におけるファンモジュール収容部４１ｃは、前後方向に２つのファンモジュール４４が重なるように２列で配置されている。ファンモジュール４４は、前方から後方に向かって冷却風を流す。
【００２３】
その他収容部４１ｄは、サーバモジュール４３と、パワーユニット４５と、通信ユニット４６とを収容する。より具体的には、その他収容部４１ｄは、パワーユニット４５と通信ユニット４６とを収容した残部にサーバモジュール４３を収容可能となっている。パワーユニット４５と、通信ユニット４６とは、それぞれサーバ４０の外部に接続されるケーブル類がシャシー４１の背面から引き出し可能とされている。
【００２４】
ベースボード４２は、シャシー４１の底面（図示せず）上に固定されている。このベースボード４２は、上述したサーバモジュール収容部４１ｂ、ファンモジュール収容部４１ｃ、および、その他収容部４１ｄに渡るシート状に形成されている。このベースボード４２は、配線（図示せず）、コネクタ４７、他のコネクタ（図示せず）等を備えている。
【００２５】
コネクタ４７は、サーバモジュール収容部４１ｂ、および、その他収容部４１ｄの内部に配置されている。これらコネクタ４７は、サーバモジュール収容部４１ｂにおいて、その前部と後部とに分かれて配置されるとともに、サーバモジュール４３の厚さよりも僅かに大きい所定間隔でシャシー４１の幅方向に並んで配置されている。同様に、コネクタ４７は、その他収容部４１ｄのうち、サーバモジュール４３を収容する領域に配置されている。その他収容部４１ｄにおいても、コネクタ４７は、サーバモジュール収容部４１ｂと同様に、その前部と後部とに分かれて配置されるとともに、サーバモジュール４３の厚さよりも僅かに大きい所定間隔でシャシー４１の幅方向に並んで配置されている。
【００２６】
コネクタ４７は、サーバモジュール４３の基板（電子部品）１２が有する接続部１８（図４参照）をベースボード４２と直交する方向に挿抜可能とする。これらコネクタ４７は、接続部１８が挿入された状態で接続部１８の電極（図示無し）と電気的に接続される複数の電極（図示せず）を有している。
【００２７】
ここで、図２において図示を省略しているが、ベースボード４２には、ファンモジュール収容部４１ｃに、ファンモジュール４４と電気的に接続するための複数のコネクタが設けられている。ファンモジュール４４には、これらコネクタを介して、ファンを駆動するための電力が供給される。
【００２８】
図３は、本実施形態におけるサーバモジュールの斜視図である。図４は、本実施形態におけるサーバモジュールの分解斜視図である。
図３、図４に示すように、サーバモジュール４３は、ＣＰＵと、このＣＰＵを冷却するヒートシンク２０と、を備えたサーバ機能を有するモジュールである。サーバモジュール４３は、基板１２と、ダクトカバー（ダクト部材）５０とを備えている。
【００２９】
基板１２は、積層基板等の配線を備えたＰＣＢ（Printed Circuit Board）などからなり、その表面と裏面との少なくとも一方にＣＰＵ（Central Processing Unit）などの半導体部品、ＨＤＤ（hard disk drive）などのストレージ部品、メモリスロット等の各種部品が実装されている。この実施形態における基板１２は、ＣＰＵ（図示無し）と、メモリスロット１７を実装する場合を一例にして説明する。
【００３０】
基板１２は、矩形の平板状に形成されて、直線状の４つの辺部１４を外周部１２ａに有している。基板１２は、これら４つの辺部１４のうち、一つの辺部１４ａ（１４）に、接続部１８を有している。この実施形態における基板１２は、それぞれ辺部１４ａの延びる方向に離間して配置された２つの接続部１８ａ，１８ｂを有している。接続部１８ａ，１８ｂは、それぞれ辺部１４ａの延びる方向に並ぶ複数の電極（図示無し）を備えている。これら接続部１８ａ，１８ｂは、上述したコネクタ４７に対して挿抜可能となっている。これら接続部１８ａ，１８ｂは、辺部１４ａと隣接する辺部（端部）１４ｓの延びる方向が、上記コネクタ４７への挿入方向Ａとなる。
【００３１】
基板１２には、ＣＰＵ（図示無し）を冷却するためのヒートシンク２０が取り付けられている。ヒートシンク２０は、基板１２に対してビス等の締結部材２１を介して固定されている。
【００３２】
基板１２は、ラッチ２７を有している。ラッチ２７は、基板１２の辺部１４ａとは反対側の辺部１４ｂが形成された外周部１２ａに取り付けられている。ラッチ２７は、基板１２の厚み方向Ｔに延びる回転軸を有し、基板１２の辺部１４ａに沿った状態の収納位置（図３に示す状態）と、基板１２の辺部１４ａから起立した状態の把持位置（図４に示す状態）との間で揺動可能となっている。この実施形態における２つのラッチ２７は、基板１２のコーナー部にそれぞれ配置され、辺部１４ｂの延びる方向で、互いに接離する方向に揺動可能となっている。これにより作業員は、把持位置にあるこれら２つのラッチ２７を左手と右手とでそれぞれ把持することで、容易に挿抜、および持ち運びする作業を行うことができる。
【００３３】
ここで、この実施形態におけるラッチ２７は、上述した揺動に伴い変位する突起２９を有している。このような突起２９が形成されていることで、例えば、ラッチ２７を把持位置から収納位置に向かって揺動させて、シャシー４１に形成された係合凹部４１ｍ（図７参照）に突起２９を引掛け、梃子の原理によりサーバモジュール４３を接続部１８側に配置されたコネクタ４７に押し込むことができる。
【００３４】
ダクトカバー５０は、基板１２を覆う。ダクトカバー５０は、例えば、ファンモジュール４４により流れる冷却風を導くダクトとして機能する。ここで、冷却風は、基板１２の辺部１４ａの延びる方向に流れる。そのため、ダクトカバー５０は、辺部１４ａの延びる方向の両方の端縁が開口している。このダクトカバー５０は、第一プレート部（カバープレート）５４と、第二プレート部（反対面カバープレート）５５と、第三プレート部５６と、を備えている。
【００３５】
第一プレート部５４と第二プレート部５５とは、対称な形状で形成されている。これら第一プレート部５４と第二プレート部５５とは、それぞれ接続部１８を除く基板１２の表面（一方の面）１２ｂと裏面（他方の面）１２ｃとをそれぞれ覆う。第一プレート部５４と第二プレート部５５とは、それぞれ基板１２と平行な平板状に形成されている。
ここで、第一プレート部５４、第二プレート部５５において、サーバモジュール４３の幅方向Ｗの両側端部５４ｓ，５４ｓ、５５ｓ，５５ｓは、基板１２の両側の辺部１４ｓと、幅方向Ｗにおいて同一位置に配置されている。
【００３６】
第三プレート部５６は、第一プレート部５４と第二プレート部５５とを繋ぐ。より具体的には、第三プレート部５６は、基板１２の辺部１４ｂ側で、第一プレート部５４と第二プレート部５５とを繋ぐ平板状に形成されている。この第三プレート部５６は、基板１２に設けられたラッチ２７を避けるように形成されている。
【００３７】
第一プレート部５４は、基板１２に対して、第二プレート部５５よりも離間するように配置されている。言い換えると、基板１２は、第一プレート部５４と第二プレート部５５との中心位置に対し、第二プレート部５５側にオフセットした位置に設けられている。
【００３８】
図５は、サーバモジュールを装着するサーバモジュール収容部の構成を示す断面図である。図６は、サーバモジュール収容部の内側面に設けたガイド部材を示す斜視図である。図７は、ガイド部材に沿って案内されるサーバモジュールを示す断面図である。
図５に示すように、このようなサーバモジュール４３が装着されるサーバモジュール収容部４１ｂ、４１ｄのそれぞれには、前後方向に配置される仕切部材４１ａのそれぞれの内側面（領域）４１ｓに、サーバモジュール４３をその挿入方向Ａに案内するガイドレール（ガイド部材）６０が取り付けられている。このガイドレール６０は、サーバモジュール４３の幅方向Ｗ、つまりシャシー４１における前後方向の両側の内側面４１ｓに、サーバモジュール４３の基板１２の辺部１４ｓ，１４ｓに対向するよう設けられている。また、図６、図７に示すように、ガイドレール６０は、サーバモジュール収容部４１ｂ、４１ｄ内に複数収容されるサーバモジュール４３のそれぞれに対応して、シャシー４１の幅方向（サーバモジュール４３の厚み方向Ｔ）に沿って間隔を空けて複数が設けられている。
【００３９】
ガイドレール６０は、ガイド部６１と、ストッパ６２と、を一体に有している。
ガイド部６１は、挿入方向Ａに沿って延び、仕切部材４１ａの内側面４１ｓに固定されたベース部６１ａと、ベース部６１ａの両側から内側面４１ｓに直交して立ち上がり、挿入方向Ａに沿って連続する側壁部６１ｂ，６１ｃと、を一体に備えている。図５に示すように、ガイド部６１は、側壁部６１ｂ，６１ｃの間に基板１２の幅方向Ｗの辺部１４ｓを挿入した状態で、基板１２を挿入方向Ａに沿って案内する。
図６、図７に示すように、ガイド部６１の上端部は、側壁部６１ｂ，６１ｃの間隔が上方に向かって漸次拡大するテーパ部６１ｄとされている。
【００４０】
ストッパ６２は、仕切部材４１ａの内側面４１ｓに沿うベース部６２ａと、ガイド部６１の一方の側壁部６１ｃの上端から、挿入方向Ａに直交し、他方の側壁部６１ｂから離れる方向に延びるストッパ面６２ｆと、ストッパ面６２ｆにおいて、他方の側壁部６１ｂから最も離れた位置に形成された端壁部６２ｅと、を一体に備えている。このようにして、ストッパ６２は、ガイドレール６０に対し、基板１２の挿入方向Ａの手前側に設けられている。
このストッパ６２は、シャシー４１側に設けられ、基板１２のコネクタ４７への挿入方向Ａに交差する厚み方向Ｔに沿って、基板１２をガイドするガイド部６１から離間する位置に設けられている。言い換えると、ストッパ６２は、ガイドレール６０のガイド部６１に対し、基板１２の厚み方向Ｔの一方の側にオフセットした位置に設けられている。また、基板１２の厚み方向Ｔに沿って間隔を空けて複数列に設けられた複数のガイドレール６０において、ストッパ６２は、厚み方向Ｔで互いに隣接するガイドレール６０同士の間に設けられている。
ここで、図７に示すように、一方の側壁部６２ｃとストッパ６２の端壁部６２ｅとの間隔Ｓ１は、基板１２と第一プレート部５４との間隔Ｔ１よりも小さく、かつ基板１２と第二プレート部５５との間隔Ｔ２よりも大きく設定されている。
【００４１】
また、サーバモジュール４３の厚み方向Ｔにおいて互いに隣接するガイドレール６０，６０は、一方のガイドレール６０の側壁部６０ｂの上端と、他方のガイドレール６０の端壁部６２ｅとの間隔Ｓ２が、基板１２と第一プレート部５４との間隔Ｔ１よりも小さく設定されている。
さらに、互いに隣接するガイドレール６０，６０間で、一方のガイドレール６０の側壁部６１ｂと、他方のガイドレール６０の側壁部６１ｃとの間隔Ｓ３は、第一プレート部５４と第二プレート部５５との間隔Ｔ３よりも小さく設定されている。
【００４２】
このような構成では、図５に示すように、サーバモジュール４３を、サーバモジュール収容部４１ｂ、４１ｄに装着するときには、基板１２の幅方向Ｗの両側の辺部１４ｓ，１４ｓを、両側のガイドレール６０のガイド部６１，６１内に挿入する。これにより、サーバモジュール４３は、ガイド部６１，６１に案内されながら、挿入方向Ａに沿って挿入され、基板１２の接続部１８ａ，１８ｂが、コネクタ４７，４７に接続される。このとき、図７に示すように、ダクトカバー５０の第一プレート部５４は、ストッパ６２と、厚み方向Ｔにおいて隣接する他のガイドレール６０との隙間を通り、第二プレート部５５は、ガイドレール６０の側壁部６１ｂと、厚み方向Ｔにおいて隣接する他のガイドレール６０のストッパ６２との隙間を通る。
【００４３】
図８は、サーバモジュールを、サーバモジュール収容部に対して異なった位置で挿入する場合を示す断面図である。図９は、サーバモジュールを、サーバモジュール収容部に対して異なった向きで挿入する場合を示す断面図である。図１０は、サーバモジュールを、サーバモジュール収容部に対して異なった位置、異なった向きで挿入する場合を示す断面図である。
ここで、図８に示すように、サーバモジュール４３の基板１２が、ガイドレール６０のガイド部６１内に挿入されず、サーバモジュール４３の厚み方向Ｔにずれた位置で挿入されると、第一プレート部５４、第二プレート部５５が、ガイドレール６０のストッパ６２のストッパ面６２ｆに突き当たる。これにより、サーバモジュール４３が異なった位置で誤挿入されるのが阻止される。
【００４４】
また、図９に示すように、サーバモジュール４３が、誤った向き、すなわち基板１２の表裏が本来と異なった向きの状態で、サーバモジュール４３の基板１２が、ガイドレール６０のガイド部６１内に挿入されようとすると、第一プレート部５４が、隣接する他のガイドレール６０のストッパ６２に突き当たり、第二プレート部５５が、ガイドレール６０のストッパ６２に突き当たる。これにより、サーバモジュール４３が異なった向きで誤挿入されるのが阻止される。
【００４５】
さらに、図１０に示すように、ガイドレール６０のガイド部６１内に挿入されず、サーバモジュール４３の厚み方向Ｔにずれた位置で挿入され、しかも、基板１２の表裏が誤った向きである場合、第一プレート部５４が、隣接する他のガイドレール６０のストッパ６２またはテーパ部６１ｄに突き当たり、第二プレート部５５が、ガイドレール６０のテーパ部６１ｄに突き当たる。これは、互いに隣接するガイドレール６０，６０間で、一方のガイドレール６０の側壁部６１ｂと、他方のガイドレール６０の側壁部６１ｃとの間隔Ｓ３は、第一プレート部５４と第二プレート部５５との間隔Ｔ３よりも狭いからである。これにより、サーバモジュール４３が異なった位置および向きで誤挿入されるのが阻止される。
【００４６】
このようにして、基板１２に対し、厚み方向Ｔの一方の面側に設けられた第一プレート部５４が、厚み方向Ｔの他方の面側に第二プレート部５５とは基板１２を挟んで非対称に設けられている。このような構成において、第一プレート部５４および第二プレート部５５は、基板１２がコネクタ４７に対して位置または方向が異なった状態で挿入されるときのみストッパ６２に干渉する干渉部材ｋとして機能する。
【００４７】
上述したようなサーバ４０によれば、シャシー４１と、シャシー４１側に設けられ、基板１２のコネクタ４７への挿入方向に交差する基板１２の厚み方向Ｔに沿って基板１２から離間する位置に設けられたストッパ６２と、基板１２において、厚み方向Ｔの一方の面１２ｂ側に、厚み方向Ｔの他方の面１２ｃ側の第二プレート部５５とは基板１２を挟んで非対称に設けられ、基板１２がコネクタ４７に対して位置または方向が異なった状態で挿入されるときのみストッパ６２に干渉する干渉部材ｋと、を備えている。
これにより、基板１２を含むサーバモジュール４３を正しい向きでコネクタ４７に向けて挿入するときには、第一プレート部５４が、ストッパ６２とは基板１２を挟んだ反対側に位置するため、ストッパ６２に干渉しない。
一方、基板１２がコネクタ４７に対して位置又は方向が異なった状態で挿入されると、第一プレート部５４がストッパ６２に干渉し、基板１２のコネクタ４７への挿入が阻止される。
このような構成において、第一プレート部５４及び第二プレート部５５からなる干渉部材ｋが、基板１２の幅方向Ｗの端部の辺部１４ｓ近傍に設けられ、ストッパ６２が基板１２の辺部１４ｓに対向する領域である内側面４１ｓに設けられている。これにより、干渉部材ｋやストッパ６２が、コネクタ４７等のレイアウトの邪魔にならない。したがって、基板１２を含むサーバモジュール４３の誤挿入を確実に抑えつつ、コネクタ４７のレイアウトの自由度を高めることが可能となる。
【００４８】
また、シャシー４１に、基板１２のコネクタ４７への挿入方向を案内するガイドレール６０が設けられ、ストッパ６２は、ガイドレール６０に対し、基板１２の厚み方向Ｔ一方の側にオフセットした位置に設けられている。
このように、ガイドレール６０を設けることで、基板１２の挿入方向を確実に案内することができる。これにより、基板１２がコネクタ４７に対して位置又は方向が異なった状態で挿入されると、干渉部材ｋがストッパ６２に確実に干渉する。
【００４９】
また、ガイドレール６０は、基板１２の厚み方向Ｔに沿って間隔を空けて複数列に設けられ、ストッパ６２は、厚み方向Ｔで互いに隣接するガイドレール６０同士の間に設けられている。
このように、複数列に設けられたガイドレール６０の間にストッパ６２を設けることで、基板１２がガイドレール６０同士の間に誤挿入されるのを防ぐことができる。
【００５０】
さらに、ストッパ６２は、ガイドレール６０に対し、基板１２の挿入方向手前側に設けられている。これにより、基板１２をガイドレール６０に挿入しようとする前の、早期の段階で基板１２の誤挿入を阻止することができる。したがって、誤挿入によって、基板１２や基板１２に実装された電子素子等と、コネクタ４７とが干渉するのを避け、これらが損傷するのを防ぐことができる。
【００５１】
また、基板１２に、厚み方向Ｔの一方の側の表面１２ｂを覆う第一プレート部５４が設けられ、第一プレート部５４が、基板１２がコネクタ４７に対して位置または方向が異なった状態で挿入されるときに、干渉部材ｋとしてストッパ６２に干渉する。
このように、第一プレート部５４を干渉部材ｋとして機能させることができる。したがって、干渉部材ｋを基板１２上に別途設ける必要が無い。基板１２を誤挿入しそうになったときには、第一プレート部５４がストッパ６２と干渉するので、基板１２や基板１２に実装された電子素子等と、ストッパ６２とが干渉するのを避け、これらが損傷するのを防ぐことができる。
【００５２】
さらに、基板１２の厚み方向Ｔの他方の側の裏面１２ｃを覆う第二プレート部５５が設けられ、基板１２は、第一プレート部５４と第二プレート部５５との間で、第二プレート部５５側にオフセットして設けられている。
これにより、第一プレート部５４は、第二プレート部５５よりも基板１２から厚み方向Ｔに離れた位置にある。このような第一プレート部５４を、干渉部材ｋとして機能させることができる。したがって、干渉部材ｋを別途設ける必要が無い。
【００５３】
加えて、第一プレート部５４と、第二プレート部５５とが、基板１２に対して挿入方向Ａの一方の側で、第三プレート部５６によって連結されている。
このように、第一プレート部５４，第二プレート部５５、及び第三プレート部５６からなるダクトカバー５０によって、ファンモジュール４４によって生成される基板１２の表面に沿って流れる風を案内することができる。このように、一つの部品に、干渉部材ｋとしての機能と、ダクトカバー５０としての機能とを兼ね備えることで、部品点数の削減化を図ることができ、低コスト化に寄与する。
【００５４】
また、サーバモジュール４３は、基板１２と、基板１２の一面側を覆う第一プレート部５４と基板１２の他面側を覆う第二プレート部５５とを備えるダクトカバー５０と、を備え、基板１２は、第一プレート部５４と第二プレート部５５との中心位置に対し、第一プレート部５４及び第二プレート部５５の一方の側にオフセットした位置に設けられている。
このような構成により、第一プレート部５４は、基板１２に対し、第二プレート部５５よりも離れて位置することとなる。したがって、第一プレート部５４が、基板１２において第二プレート部５５とは非対称に設けられ、基板１２がコネクタ４７に対して位置または方向が異なった状態で挿入されるときのみストッパ６２に干渉する干渉部材ｋとして機能する。これにより、サーバモジュール４３の誤挿入を確実に防止することができる。
【００５５】
また、シャシー４１は、所定の方向から基板１２が挿入されるコネクタ４７が設けられたシャシー４１であって、基板１２の厚み方向Ｔに沿って基板１２から離間する位置に設けられ、基板１２がコネクタ４７に対して位置または方向が異なった状態で挿入されるときのみ、基板１２に干渉してコネクタ４７への挿入を阻止するストッパ６２、を備え、ストッパ６２は、基板１２の挿入方向Ａおよび厚み方向Ｔに直交する基板１２の幅方向Ｗの少なくとも一方の端部の辺部１４ｓに対向する領域である内側面４１ｓに配置されている。
このようなシャシー４１によれば、干渉部材ｋを備えた基板１２やサーバモジュール４３の誤挿入を確実に防止することができる。
また、ストッパ６２が、基板１２の幅方向Ｗの端部の辺部１４ｓに対向する領域である内側面４１ｓに設けられているので、コネクタ４７等のレイアウトの邪魔にならない。したがって、基板１２を含むサーバモジュール４３の誤挿入を確実に抑えつつ、コネクタ４７のレイアウトの自由度を高めることが可能となる。
【００５６】
なお、上記実施形態では、サーバモジュール４３に、第一プレート部５４及び第二プレート部５５を備えるようにしたが、誤挿入防止という目的からすると、少なくとも第一プレート部５４を備えていればよい。
また、干渉部材ｋを構成する第一プレート部５４及び第二プレート部５５は、ダクトカバー５０の一部を形成しているが、ダクトカバー５０とは別に、干渉部材ｋを設けてもよい。その場合、干渉部材ｋは、基板１２に直接設けてもよい。
【００５７】
また、サーバモジュール４３自体の構成は、他のいかなる構成であってもよい。
さらには、サーバモジュール４３のサーバ４０への組み込み個数や配置等も適宜変更することが可能である。
加えて、サーバモジュール４３は、サーバ４０以外の他の機器に組み込むものであってもよい。
加えて、電子部品ユニットとしてサーバモジュール４３を例に挙げたが、基板を有するのであれば、サーバモジュール４３以外の電子部品ユニットにも上記実施形態で示したのと同様の構成が適用できる。
これ以外にも、本発明の主旨を逸脱しない限り、上記実施の形態で挙げた構成を取捨選択したり、他の構成に適宜変更することが可能である。
【符号の説明】
【００５８】
１…情報処理装置
２…筐体
３…ストッパ
４…干渉部材
４ａ…一方の面
４ｂ…他方の面
５…コネクタ
６…電子部品
６ｓ…端部
１２…基板（電子部品）
１２ｂ…表面（一方の面）
１２ｃ…裏面（他方の面）
１４ｓ…辺部（端部）
１８…接続部
４０…サーバ（情報処理装置）
４１…シャシー（筐体）
４１ｓ…内側面（領域）
４３…サーバモジュール（電子部品ユニット）
４７…コネクタ
５０…ダクトカバー（ダクト部材）
５４…第一プレート部（カバープレート）
５４ｓ…側端部
５５…第二プレート部（反対面カバープレート）
６０…ガイドレール（ガイド部材）
６２…ストッパ
Ａ…挿入方向
ｋ…干渉部材
Ｔ…厚み方向
Ｗ…幅方向
【図１】
2017084906.tif 000003
【図２】
2017084906.tif 000004
【図３】
2017084906.tif 000005
【図４】
2017084906.tif 000006
【図５】
2017084906.tif 000007
【図６】
2017084906.tif 000008
【図７】
2017084906.tif 000009
【図８】
2017084906.tif 000010
【図９】
2017084906.tif 000011
【図１０】
2017084906.tif 000012
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
所定の方向から基板状の電子部品が挿入されるコネクタが前記所定の方向に対して交差する面内に行列状に配置された筐体と、
前記筐体側に設けられ、前記電子部品の前記コネクタへの挿入方向に交差する前記電子部品の厚み方向に沿って前記電子部品から離間する位置に設けられたストッパと、
前記電子部品において、前記厚み方向の一方の面側に、前記厚み方向の他方の面側とは前記電子部品を挟んで非対称に設けられ、前記電子部品が前記コネクタに対して位置または方向が異なった状態で挿入されるときのみ前記ストッパに干渉する干渉部材と、
を備え、
前記干渉部材は、前記電子部品において、前記挿入方向および前記厚み方向に直交する前記電子部品の幅方向の端部の少なくとも一方に設けられ、
前記ストッパは、前記筐体において、前記干渉部材が設けられた前記電子部品の前記端部に対向する領域に配置され、
前記筐体に、前記電子部品の前記コネクタへの挿入方向を案内するガイド部材が設けられ、
前記ストッパは、前記ガイド部材に対し、前記電子部品の厚み方向一方の面にオフセットした位置に設けられ、
前記ガイド部材は、前記電子部品の前記厚み方向に沿って間隔を空けて複数列に設けられ、
前記ストッパは、前記厚み方向で互いに隣接する前記ガイド部材同士の間に設けられ、
前記電子部品に、前記厚み方向一方の面との間に所定の間隔をおいてこれを覆うカバープレートが設けられ、
前記カバープレートが、前記電子部品が前記コネクタに対して位置または方向が異なった状態で挿入されるときに、前記干渉部材として前記ストッパに干渉し、
前記電子部品の前記厚み方向他方の面との間に所定の間隔をおいてこれを覆う反対面カバープレートが設けられ、
前記電子部品は、前記カバープレートと前記反対面カバープレートとの間で、前記反対面カバープレート側にオフセットして設けられ、
前記カバープレート、反対面カバープレートは、前記筐体内に設けられたファンモジュールから流れる冷却風に沿って配置されている情報処理装置。
【請求項２】
前記ストッパは、前記ガイド部材に対し、前記電子部品の挿入方向手前側に設けられている、
請求項１に記載の情報処理装置。
【請求項３】
前記カバープレートと、前記反対面カバープレートとが、前記電子部品に対して前記挿入方向一方の側で連結されている、
請求項１または２のいずれかに記載の情報処理装置。
【請求項４】
基板と、
前記基板の一面側を覆う第一プレート部と前記基板の他面側を覆う第二プレート部とを備えるダクト部材と、を備え、
前記基板は、前記第一プレート部と前記第二プレート部との中心位置に対し、前記第一プレート部及び前記第二プレート部の一方の側にオフセットした位置に設けられている、ことを特徴とする電子部品ユニットであって、
前記基板は、筐体内における前記基板と交差する面内に行列状に配列されたコネクタにそれぞれ挿入され、
前記筐体は、電子部品の前記コネクタへの挿入方向に交差する前記電子部品の厚み方向に沿って前記電子部品から離間する位置に設けられたストッパを備え、
前記基板の厚み方向の一方の面側には、前記厚み方向の他方の面側とは前記基板を挟んで非対称に設けられ、前記基板が前記コネクタに対して位置または方向が異なった状態で挿入されるときのみ前記ストッパに干渉する干渉部材を備え、
前記干渉部材は、前記基板において、前記挿入方向および前記厚み方向に直交する前記基板の幅方向の端部の少なくとも一方に設けられ、
前記ストッパは、前記筐体において、前記干渉部材が設けられた前記基板の前記端部に対向する領域に配置され、
前記筐体に、前記基板の前記コネクタへの挿入方向を案内するガイド部材が設けられ、
前記ストッパは、前記ガイド部材に対し、前記電子部品の厚み方向一方の面にオフセットした位置に設けられ、
前記ガイド部材は、前記基板の前記厚み方向に沿って間隔を空けて複数列に設けられ、
前記ストッパは、前記厚み方向で互いに隣接する前記ガイド部材同士の間に設けられ、
前記基板に、前記厚み方向一方の面との間に所定の間隔をおいてこれを覆うカバープレートが前記第一プレート部として設けられ、
前記カバープレートが、前記基板が前記コネクタに対して位置または方向が異なった状態で挿入されるときに、前記干渉部材として前記ストッパに干渉し、
前記基板の前記厚み方向他方の面との間に所定の間隔をおいてこれを覆う反対面カバープレートが前記第二プレート部として設けられ、
前記基板は、前記カバープレートと前記反対面カバープレートとの間で、前記反対面カバープレート側にオフセットして設けられ、
前記カバープレート、反対面カバープレートは、前記筐体内に設けられたファンモジュールから流れる冷却風に沿って配置されている電子部品ユニット。
【請求項５】
所定の方向から基板状の電子部品が挿入されるコネクタが前記所定の方向に対して交差する面内に行列状に配列された筐体であって、
前記電子部品の前記コネクタへの挿入方向に交差する前記電子部品の厚み方向に沿って前記電子部品から離間する位置に設けられ、前記電子部品が前記コネクタに対して位置または方向が異なった状態で挿入されるときのみ干渉して前記コネクタへの挿入を阻止するストッパ、を備え、
前記ストッパは、前記電子部品の前記挿入方向および前記厚み方向に直交する前記電子部品の幅方向の端部の少なくとも一方に対向する領域に配置され、
前記電子部品は、前記厚み方向の一方の面側に、前記厚み方向の他方の面側とは前記電子部品を挟んで非対称に設けられ、前記電子部品が前記コネクタに対して位置または方向が異なった状態で挿入されるときのみ前記ストッパに干渉する干渉部材を備え、
前記干渉部材は、前記電子部品において、前記挿入方向および前記厚み方向に直交する前記電子部品の幅方向の端部の少なくとも一方に設けられ、
前記筐体には、前記電子部品の前記コネクタへの挿入方向を案内するガイド部材が設けられ、
前記ストッパは、前記ガイド部材に対し、前記電子部品の厚み方向一方の面にオフセットした位置に設けられ、
前記ガイド部材は、前記電子部品の前記厚み方向に沿って間隔を空けて複数列に設けられ、
前記ストッパは、前記厚み方向で互いに隣接する前記ガイド部材同士の間に設けられ、
前記電子部品には、前記厚み方向一方の面との間に所定の間隔をおいてこれを覆うカバープレートが設けられ、
前記カバープレートが、前記電子部品が前記コネクタに対して位置または方向が異なった状態で挿入されるときに、前記干渉部材として前記ストッパに干渉し、
前記電子部品の前記厚み方向他方の面との間に所定の間隔をおいてこれを覆う反対面カバープレートが設けられ、
前記電子部品は、前記カバープレートと前記反対面カバープレートとの間で、前記反対面カバープレート側にオフセットして設けられ、
前記カバープレート、反対面カバープレートは、前記筐体内に設けられたファンモジュールから流れる冷却風に沿って配置されている筐体。